【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの第1のブロックを受信するステップであって、ビデオデータの前記第1のブロックが予測ユニットの第1のサブブロックである、ステップと、
ビデオデータの前記第1のサブブロックに隣接するビデオデータの1つまたは複数のサブブロックを受信するステップと、
ビデオデータの前記第1のサブブロックが重複ブロック動き補償モードに従って符号化されるかどうかを表す値を有するシンタックス要素を受信するステップであって、前記シンタックス要素の前記値が真の値または偽の値であり、前記真の値が、ビデオデータの前記第1のサブブロックが前記重複ブロック動き補償モードに従って符号化されることを示し、前記偽の値が、ビデオデータの前記第1のサブブロックが前記重複ブロック動き補償モードに従って符号化されないことを示す、ステップと、
前記シンタックス要素の前記値が前記真の値に等しいことに基づいて、ビデオデータの前記第1のサブブロックが前記重複ブロック動き補償モードに従って符号化されると決定するステップと、
ビデオデータの前記第1のサブブロックに隣接するビデオデータの前記1つまたは複数のサブブロックのうちの少なくとも1つの動き情報を決定するステップと、
ビデオデータの前記第1のブロックに隣接する前記1つまたは複数のサブブロックのうちの前記少なくとも1つの前記動き情報に少なくとも一部基づいて、重複ブロック動き補償を使用して、ビデオデータの前記第1のサブブロックを復号するステップと、
を備える、方法。
【請求項２】
ビデオデータの前記第1のサブブロックに隣接するビデオデータの前記1つまたは複数のサブブロックのうちの少なくとも1つが復号されないかどうかを決定するステップと、
復号されるべきではないと決定された前記1つまたは複数のブロックのうちの前記少なくとも1つのサブブロックに対応する動き情報を使用せずに、ビデオデータの前記第1のサブブロックを復号するステップと、
をさらに備える、請求項1に記載の方法。
【請求項３】
ビデオデータの前記第1のサブブロックに隣接するビデオデータの前記1つまたは複数のサブブロックのうちの前記少なくとも1つのサブブロックを復号することによって、ビデオデータの前記第1のサブブロックに隣接するビデオデータの前記1つまたは複数のサブブロックのうちの前記少なくとも1つの前記動き情報を決定するステップ
をさらに備える、請求項1に記載の方法。
【請求項４】
ビデオデータの前記第1のサブブロックの第1の予測ブロックを生成するステップであって、前記第1の予測ブロックがビデオデータの前記第1のサブブロックのための各ピクセル位置に対する値を含む、ステップと、
ビデオデータの前記第1のブロックのサイズに基づいて、1つまたは複数の重み付けられた値を前記第1の予測ブロックの1つまたは複数の値に割り当てるステップと、
前記第1の予測ブロックの前記1つまたは複数の値に割り当てられる前記1つまたは複数の重み付けられた値を使用して、ビデオデータの前記第1のサブブロックを復号するステップと、
をさらに備える、請求項1に記載の方法。
【請求項５】
ビデオデータの前記第1のサブブロックに隣接するビデオデータの前記1つまたは複数のサブブロックのうちの少なくとも1つの前記動き情報に基づいて、第1の隣接予測ブロックを生成するステップと、
第1の隣接サブブロックのサイズに基づいて、1つまたは複数の重み付けられた値を前記第1の隣接予測ブロックの1つまたは複数の値に割り当てるステップと、
前記第1の隣接予測ブロックの前記1つまたは複数の値に割り当てられる前記1つまたは複数の重み付けられた値を使用して、ビデオデータの前記第1のサブブロックを復号するステップと、
をさらに備える、請求項4に記載の方法。
【請求項６】
修正された第1の予測ブロックを生成するために、前記第1の隣接予測ブロックの前記1つまたは複数の値に割り当てられる前記1つまたは複数の重み付けられた値に基づいて、前記第1の予測ブロックの1つまたは複数の値を修正するステップと、
前記修正された第1の予測ブロックを使用してビデオデータの前記第1のサブブロックを復号するステップと、
をさらに備える、請求項5に記載の方法。
【請求項７】
ビデオデータの前記第1のサブブロックに隣接するビデオデータの前記1つまたは複数のサブブロックのうちの少なくとも1つの前記動き情報に基づいて、第2の隣接予測ブロックを生成するステップと、
第2の隣接サブブロックのサイズに基づいて、1つまたは複数の重み付けられた値を前記第2の隣接予測ブロックの1つまたは複数の値に割り当てるステップと、
修正された第1の予測ブロックを生成するために、第1の隣接予測サブブロックおよび第2の隣接予測サブブロックの前記1つまたは複数の値に割り当てられる前記1つまたは複数の重み付けられた値に基づいて、前記第1の予測ブロックおよび第2の予測ブロックの1つまたは複数の値を修正するステップと、
をさらに備える、請求項5に記載の方法。
【請求項８】
ビデオデータをコーディングするための装置であって、
ビデオデータの第1のブロックを受信するための手段であって、ビデオデータの前記第1のブロックが予測ユニットの第１のサブブロックである、手段と、
ビデオデータの前記第1のサブブロックに隣接するビデオデータの1つまたは複数のサブブロックを受信するための手段と、
ビデオデータの前記第1のサブブロックが重複ブロック動き補償モードに従ってコーディングされるかどうかを表す値を有するシンタックス要素を受信するための手段であって、前記シンタックス要素の前記値が真の値または偽の値であり、前記真の値が、ビデオデータの前記第1のサブブロックが前記重複ブロック動き補償モードに従ってコーディングされることを示し、前記偽の値が、ビデオデータの前記第1のサブブロックが前記重複ブロック動き補償モードに従ってコーディングされないことを示す、手段と、
前記シンタックス要素の前記値が前記真の値に等しいことに基づいて、ビデオデータの前記第1のサブブロックが前記重複ブロック動き補償モードに従ってコーディングされると決定するための手段と、
ビデオデータの前記第1のサブブロックに隣接するビデオデータの前記1つまたは複数のサブブロックのうちの少なくとも1つの動き情報を決定するための手段と、
ビデオデータの前記第1のブロックに隣接する前記1つまたは複数のサブブロックのうちの前記少なくとも1つの前記動き情報に少なくとも一部基づいて、重複ブロック動き補償を使用して、ビデオデータの前記第1のサブブロックをコーディングするための手段と、
を備える、装置。
【請求項９】
ビデオデータの前記第1のサブブロックに隣接するビデオデータの前記1つまたは複数のサブブロックのうちの少なくとも1つがコーディングされないかどうかを決定するための手段と、
コーディングされるべきではないと決定された前記1つまたは複数のブロックのうちの前記少なくとも1つのサブブロックに対応する動き情報を使用せずに、ビデオデータの前記第1のサブブロックをコーディングするための手段と、
をさらに備える、請求項8に記載の装置。
【請求項１０】
ビデオデータの前記第1のサブブロックに隣接するビデオデータの前記1つまたは複数のサブブロックのうちの前記少なくとも1つのサブブロックをコーディングすることによって、ビデオデータの前記第1のサブブロックに隣接するビデオデータの前記1つまたは複数のサブブロックのうちの前記少なくとも1つの前記動き情報を決定するための手段
をさらに備える、請求項8に記載の装置。
【請求項１１】
ビデオデータの前記第1のサブブロックの第1の予測ブロックを生成するための手段であって、前記第1の予測ブロックがビデオデータの前記第1のサブブロックのための各ピクセル位置に対する値を含む、手段と、
ビデオデータの前記第1のブロックのサイズに基づいて、1つまたは複数の重み付けられた値を前記第1の予測ブロックの1つまたは複数の値に割り当てるための手段と、
前記第1の予測ブロックの前記1つまたは複数の値に割り当てられる前記1つまたは複数の重み付けられた値を使用して、ビデオデータの前記第1のサブブロックをコーディングするための手段と、
をさらに備える、請求項8に記載の装置。
【請求項１２】
ビデオの前記第1のサブブロックに隣接するビデオデータの前記1つまたは複数のサブブロックのうちの少なくとも1つの前記動き情報に基づいて、第1の隣接予測ブロックを生成するための手段と、
第1の隣接サブブロックのサイズに基づいて、1つまたは複数の重み付けられた値を前記第1の隣接予測ブロックの1つまたは複数の値に割り当てるための手段と、
前記第1の隣接予測ブロックの前記1つまたは複数の値に割り当てられる前記1つまたは複数の重み付けられた値を使用して、ビデオデータの前記第1のサブブロックをコーディングするための手段と、
をさらに備える、請求項11に記載の装置。
【請求項１３】
修正された第1の予測ブロックを生成するために、前記第1の隣接予測ブロックの前記1つまたは複数の値に割り当てられる前記1つまたは複数の重み付けられた値に基づいて、前記第1の予測ブロックの1つまたは複数の値を修正するための手段と、
前記修正された第1の予測ブロックを使用してビデオデータの前記第1のサブブロックをコーディングするための手段と、
をさらに備える、請求項12に記載の装置。
【請求項１４】
実行されると、1つまたは複数のプロセッサに、請求項1から7のいずれか一項に記載の方法を行わせる命令を記憶した、
非一時的コンピュータ可読記憶媒体。